(57)【要約】  ブレーキ回路内に圧力を提供して制御するための圧力媒体アッセンブリ（１０）は、電子的に起動可能な駆動モータ（１６）によって操作可能なポンプと電子的に起動可能な弁とが配置されているハウジングブロック（１２）と、さらに、駆動モータ（１６）と前記弁との起動を行う電子制御器（１８）とを有している。電子制御器（１８）は、前記ハウジングブロック（１２）の外面に固定され、且つデバイスフランジ（３２）を有し、このデバイスフランジに、ハウジングブロック（１２）に形成されたハウジングフランジ（３０）が付設されている。フランジ（３０；３２）は、ハウジングブロック（１２）と電子制御器（１８）とを互いに固定させる固定手段（３４）をそれぞれ受容している。ハウジングフランジ（３０）は、ハウジングブロック（１２）のハウジングフランジ（３０）を有している周側に対し、半径方向外側へ突出している。【選択図】  図１
2020525338.tif 000002
【特許請求の範囲】
【請求項１】
圧力媒体アッセンブリ（１０）、特に動力車両のスリップコントロール可能なブレーキ装置のブレーキ回路内に圧力を発生させて制御するための圧力媒体アッセンブリ（１０）であって、
電子的に起動可能な駆動モータ（１６）によって操作可能なポンプと電子的に起動可能な弁とが配置されて圧力媒体を誘導するように互いに接触しているハウジングブロック（１２）と、
前記モータと前記弁との起動を制御する電子制御器（１８）と、
を備え、
前記制御器（１８）が制御器ハウジング（２０）を備え、前記ハウジングブロック（１２）に前記制御器（１８）を固定するため、前記制御器ハウジングにデバイスフランジ（３２）が形成され、
前記ハウジングブロック（１２）に、前記デバイスフランジ（３２）に付設されるハウジングフランジ（３０）が設けられている、
前記圧力媒体アッセンブリ（１０）において、
前記ハウジングフランジ（３０）が、前記ハウジングブロック（１２）の、このハウジングフランジ（３０）を有している周側に対し、半径方向外側へ突出している、
ことを特徴とする圧力媒体アッセンブリ（１０）。
【請求項２】
前記ハウジングフランジ（３０）が、前記ハウジングブロック（１２）の前記周側に配置可能な結合部材（３６）に形成されていることを特徴とする、請求項１に記載の圧力媒体アッセンブリ（１０）。
【請求項３】
前記結合部材（３６）が摩擦でおよび／または形状拘束的に前記ハウジングブロック（１２）の前記周側に固着され、特にかしめられ、ねじ止めされ、または、圧入されていることを特徴とする、請求項２に記載の圧力媒体アッセンブリ（１０）。
【請求項４】
前記ハウジングブロック（１２）の前記周側に、前記結合部材（３６）のダウエルピン（３８）を受容する開口部（１４）が設けられていることを特徴とする、請求項２または３に記載の圧力媒体アッセンブリ。
【請求項５】
互いに付設されている前記フランジ（３０；３２）が、前記制御器（１８）を前記ハウジングブロック（１２）と固定結合させる固定手段（３４）を受容するために設けられていることを特徴とする、請求項１〜４のいずれか一項に記載の圧力媒体アッセンブリ。
【請求項６】
固定手段としてねじ（３４）が設けられ、特にセルフタッピングねじ山を備えたねじが設けられていることを特徴とする、請求項５に記載の圧力媒体アッセンブリ。
【請求項７】
前記フランジ（３０；３２）の一方が貫通孔を備えていること、それぞれに付設されている他のフランジ（３２；３０）がねじ孔を有していることを特徴とする、請求項５に記載の圧力媒体アッセンブリ。
【請求項８】
ねじ孔を備えた前記フランジ（３２）が前記制御器ハウジング（２０）に形成されていることを特徴とする、請求項７に記載の圧力媒体アッセンブリ。
【発明の詳細な説明】
【技術分野】
【０００１】
本発明は、請求項１の前提部の構成による圧力媒体アッセンブリ、特に動力車両のスリップコントロール可能なブレーキ装置のブレーキ回路内に圧力を提供して制御するための圧力媒体アッセンブリから出発する。
【背景技術】
【０００２】
この種の圧力媒体アッセンブリは、技術水準から、たとえば特許文献１からすでに知られている。この圧力媒体アッセンブリはハウジングブロックを備え、該ハウジングブロックに、とりわけ電子的に起動可能なモータによって間接的に操作可能なポンプと電子的に起動可能な弁とが配置されて、圧力媒体を誘導するように互いに接触している。さらに、モータと弁との起動を行う電子制御器が設けられている。この制御器は、ハウジングブロックの複数の外面のうちの１つに固定され、このために制御器ハウジングを有している。制御器ハウジングはその周に沿って複数の繰り抜き部を備え、これら繰り抜き部のハウジングブロック側基部に複数のデバイスフランジが形成されている。これらデバイスフランジは、ハウジングブロックの対向フランジに当接している。互いに付設されているフランジの領域に配置された固定手段を介して、制御器はハウジングブロックに固定されている。
【０００３】
ハウジングブロックと電子制御器との間のこの公知の結合部の欠点は、フランジの構成空間が、制御器ハウジング内に受容されている電気プリント回路基板の電位延在領域内へ延在していることである。それ故、デバイスフランジへアクセスするためのスペースを作るために、プリント回路基板は周側に同様に複数の繰り抜き部を備えている。しかしながら、とりわけ、フランジ領域での固定要素の機械的取付けを可能にするため、および、たとえばこのフランジ領域での周囲に対する制御器の密封部を格納するため、フランジのサイズは比較的大きな面積を占めている。一方では、周側の複数の繰り抜き部のために、使用できるプリント回路基板面積が制限され、したがってブレーキ制御のために必要な電子部品またはこれら電子部品間の導電路の配置が困難になり、加えて、これら繰り抜き部はプリント回路基板の機械的後加工によって形成されねばならず、したがって繰り抜かれたプリント回路基板材料に対する廃棄コストが生じるので、プリント回路基板の製造コストが上昇する。さらに、プリント回路基板を制御器ハウジング内へ取り付ける際に、部品相互の慎重な相互心合わせが必要である。というのは、機能信頼性および寿命の理由から、損傷またはプリント回路基板内への機械的応力の持ち込みを回避せねばならないからである。
【先行技術文献】
【特許文献】
【０００４】
【特許文献１】独国特許出願公開第４１３３８７９Ａ１号明細書
【発明の概要】
【０００５】
独立請求項１の構成に従った本発明による圧力媒体アッセンブリには、一つには、電子制御器のプリント回路基板のために、少なくともハウジングブロックの上面の全面を使用できるという利点がある。さらに、プリント回路基板はまっすぐな連続的な側面を有し、したがって追加的に設けられる繰り抜き部なしで済ますことができるので、プリント回路基板自体をコスト上より好ましく製造可能である。ハウジングブロックでの制御器の固定はいまや駆動モータの側から行うことができ、これによりプリント回路基板の大きさを、設けられているハウジングフランジの配置およびサイズに関係なく設定することができる。しかも、ハウジングブロックの基面よりも大きな面積を持つプリント回路基板を実現可能である。プリント回路基板の面積をハウジングブロックの基面に制限することが解消したことで、より多数の電子部品および導電路を備えた複雑な回路への改変が可能である。
【０００６】
このため、本発明によれば、制御器ハウジングの固定に用いられるハウジングフランジは、ハウジングブロックの、このハウジングフランジを有している周側に対し半径方向外側へ突出している。
【０００７】
本発明の更なる利点および有利な更なる構成は、従属請求項および以下の説明から明らかである。
【０００８】
有利な態様では、制御器ハウジングの固定に用いられるハウジングフランジは、ハウジングブロックに固定可能な結合部材に形成されている。この結合部材は使用目的に応じてサイズを選定可能であり、且つ既存の組み立てキット内へ組み込み可能であり、すなわち種々の構成の制御器ハウジングを、著しい付加コストなしに、種々の構成のハウジングブロックに固定可能である。結合部材は様々な種類および態様でハウジングブロックに固着させることができ、たとえば圧入、ねじ止め、または、かしめによって固着させることができる。
【０００９】
制御器ハウジングをハウジングブロック側のフランジに固着させるためのセルフタッピング固定手段、よって取付けコストを低減させる固定手段を使用可能である。というのは、結合部材に形成されているハウジングフランジは、固定の際に発生する切屑が制御器ハウジングの内部へ到達するリスクを低減させるからである。
【００１０】
制御器側のフランジに形成されたねじ孔は、固定手段をハウジングブロックまたは駆動モータの側からフランジ内へ挿入してねじ締めすることを可能にさせる。これにより、制御器の内部へ侵入する切屑のリスクがさらに減少する。
【００１１】
本発明の実施形態を以下の説明で詳細に述べるとともに図面に示す。
【図面の簡単な説明】
【００１２】
【図１】圧力媒体アッセンブリの斜視図を用いて本発明の１実施形態を示した図である。
【図２】図１の実施形態をもう一度側面図で示した図である。
【図３ａ】ハウジングフランジを形成している結合部材の変形実施形態を示す図である。
【図３ｂ】ハウジングフランジを形成している結合部材の異なる変形実施形態を示す図である。
【図３ｃ】ハウジングフランジを形成している結合部材の異なる変形実施形態を示す図である。
【図３ｄ】ハウジングフランジを形成している結合部材の異なる変形実施形態を示す図である。
【発明を実施するための形態】
【００１３】
互いに対応している部材には、個々の図でそれぞれ参照符号を統一して付している。
【００１４】
図１および図２に示した圧力媒体アッセンブリ１０は、たとえばブレーキ管を接続するために、および、ポンプ要素を受容するために周側に複数の開口部１４を形成させた直方体状のハウジングブロック１２と、このハウジングブロック１２の下面に装着されている駆動モータ１６と、ハウジングブロック１２の上面に固定され、同様に直方体状の制御器ハウジング２０を備えた電子制御器１８とに分けて構成されている。前記制御器ハウジング２０は、ハウジングブロック１２の上面全体にわたって延在し、ハウジングブロック１２の周側とほぼ面一になって終わっている。制御器ハウジング２０は、ハウジングブロック１２とは逆の側の外面で、カバー２２によって閉鎖されている。このカバー２２の下方には、制御器ハウジング２０の内部に、図では見えないが、電子部品を装備させた、導電路を担持するプリント回路基板が配置されており、該プリント回路基板を介して、制御器ハウジング２０のハウジングブロック側の部分内に配置されている種々のアクチュエータが、たとえばマグネットコイルが、電気接触されている。ハウジングブロック１２の、制御器ハウジング２０に対向している下面に配置されている駆動モータ１６も、ハウジングブロック１２内の貫通案内部を貫通している接触ばねを介して、プリント回路基板に接続されている（図示せず）。
【００１５】
制御器ハウジング２０の、ハウジングブロック１２から遠い第１の部分２４は、前述のプリント回路基板を受容し、その際典型的には基面を占めている。基面は、前述のアクチュエータを受容してハウジングブロック１２の上面全体にわたって延在している制御器ハウジング２０の第２の部分２６よりも大きい。したがって、制御器ハウジング２０は周回するように延在する段部を有し、この段部において両ハウジング部分２４；２６が互いに結合され、または、互いに移行しあっている。制御器ハウジング２０の第１の部分２４は、第２の部分２６に対し、したがってハウジングブロック１２に対しても周回するように張り出しており、この場合その張り出し量は、たとえば制御器ハウジング２０の４つの周側のうち３つの周側でほぼ同じ大きさになるように選定され、他方第１の部分は、第４の側でより大きく実施され、外部から差し込み可能な機器プラグの雌コネクタ２８のための空間を提供している。この雌コネクタ２８は、図では下方へ延在し、すなわち制御器ハウジング２０の第１の部分からハウジングブロック１２の方向に延在している。
【００１６】
ハウジングブロック１２での制御器ハウジング２０の固定は、複数のハウジングフランジ３０にて行う。このハウジングフランジ３０は、たとえばハウジングブロック１２の、互いに対向しあっている２つの周側に配置され、本発明によれば、これら周側に対し半径方向外側へ突出している。設けるハウジングフランジ３０の数量と、ハウジングブロック１２の周面にわたるその配分とは、使用目的に応じて選定可能であり、決して図示した実施形態に拘束されるものではない。これらハウジングフランジ３０には、制御器ハウジング２０に形成され、この制御器ハウジング２０の第２の部分２６に対し同様に半径方向外側へ突出しているデバイスフランジ３２が付設されている。制御器ハウジング２０とハウジングブロック１２とを相互に固定するため、本実施形態ではねじ３４が使用され、その際それぞれ１つのねじ３４がフランジ３０；３２のそれぞれ１つの領域に設けられている。これらのねじ３４は、ねじ頭でもってハウジングフランジ３０の端面に当接し、その軸部のねじ山部分でもって制御器ハウジング２０の付設のデバイスフランジ３２にねじ込まれている。したがって、ねじ固定は、駆動モータ１６の側からねじ頭に作用を及ぼすスクリュースピンドルを用いて実施することができる。このねじ固定方向は、制御器ハウジング２０の第１の部分２４が、すなわちプリント回路基板を受容している部分が、制御器ハウジング２０および／またはプリント回路基板に繰り抜き部を設ける必要なく、これらのハウジングフランジ３０を覆うことができて、スクリュードライバーによるねじ３４へのアクセスを可能にさせるという利点を提供する。これに対応する大きさを持つようにサイズを選定され、長方形に形成されたプリント回路基板にして、連続性の、繰り抜かれていない外側面を備えたプリント回路基板を、制御器ハウジング２０の第１の部分２４に収納させることができる。
【００１７】
図示した実施形態の場合、制御器ハウジング２０をハウジングブロック１２に固定するため、すでに述べたようにねじ３４を使用する。
【００１８】
選択的に、セルフタッピングねじ山を備えたねじ３４を使用することで、デバイスフランジ３２に設けるべきねじ穴を省略してよい。択一的に、ハウジングブロック１２での制御器ハウジング２０の固定を摩擦で行ってよく、たとえば、この結合が破壊力なしに解除される不具合を阻止すべき場合には、プレスピンまたはリベットを使用することによって摩擦で行ってもよい。
【００１９】
複数のハウジングフランジ３０はそれぞれハウジングブロック１２と一体に形成されていてよい。しかし、これに対し、ハウジングフランジ３０を角材状の別個の結合部材３６として構成して、この結合部材をハウジングブロック１２に固定するのがより有利である。これは、押し出し成形部材としてのハウジングブロックのコスト上好ましい製造を容易にし、付加コストなしに、異なる形状またはサイズを選定可能な結合部材３６をその都度必要な数量と位置で種々の圧力媒体アッセンブリ１０に使用目的に応じて設けることが可能であり、これによってアッセンブリ組み立てキットを具現することが可能である。このような結合部材３６の複数の実施形態が図３ａないし図３ｄに図示されている。
【００２０】
結合部材３６をハウジングブロック１２に固定するためには、種々の可能性が考えられる。
【００２１】
たとえば、結合部材３６は少なくとも１つの筒状のダウエルピン３８を備え、該ダウエルピンは、フランジ面４０から該フランジ面４０のほぼ半径方向に延長して延びて、結合部材３６をハウジングブロック１２の複数の周側のうちの１つの周側にこのために設けられた開口部１４内に固着させることを可能にする。固着自体は、ダウエルピン３８の構造的実施態様に依存して摩擦でおよび／または形状拘束的に実施されていてよく、たとえば圧着、螺合、かしめとして実施されていてよい。圧着の場合には、図３ａに示したように、結合部材３６のダウエルピン３８の周側に、これらダウエルピンの縦方向に延在する複数の圧入細条部と、これら圧入細条部の間にある圧入溝とを備えさせることができる。
【００２２】
これとは択一的に、図３ｂに図示したように、結合部材３６のダウエルピンは雄ねじを備えていてもよい。この場合には、結合部材３６は、そのダウエルピン３８を介して、ハウジングブロック１２の周側に設けた、雌ねじを備える開口部１４にねじ込み可能である。さらに、結合部材３６は、かしめによってハウジングブロック１２に形状拘束的に固着可能なダウエルピン３８を備えていてよい。このため、ダウエルピン３８は、その周に沿って、アンダーカットを形成する少なくとも１つのくびれ部４２を備え（図３ｃ）、このダウエルピン３８を付設の開口部１４に挿入した後、くびれ部内にかしめ工具を用いてハウジングブロック１２の周辺材料を押し込む。
【００２３】
さらに、図３ｄに示すように、ハウジングブロック１２に固着可能な結合部材３６は、動力車両の車体側ホールダ内で圧力媒体アッセンブリ１０を固定するために構成することもできる。このため、結合部材３６は、ハウジングブロック１２に対し外側へ突出する部分を備え、該部分は、車両側ホールダの付設の輪郭部に係合することができるように構成され、または、ホールダと結合部材との間に位置している成形部材４４を受容するために適合しているように構成されている。この成形部材４４は、理想的には、エラストマーから製造され、圧力媒体アッセンブリをホールダに取り付けた後、機械的に予め緊張することができることで、圧力媒体アッセンブリを車両のホールダに懸架するとともに、圧力媒体アッセンブリへの車両側振動の伝達を緩衝させる。
【００２４】
さらに、請求項１により請求される本発明の基本思想から逸脱しなければ、更なる変更または補完も考えられることは言うまでもない。
【符号の説明】
【００２５】
１０  圧力媒体アッセンブリ
１２  ハウジングブロック
１４  開口部
１６  駆動モータ
１８  制御器
２０  制御器ハウジング
３０  ハウジングフランジ
３２  デバイスフランジ
３４  ねじ（固定手段）
３６  結合部材
３８  ダウエルピン
【図１】
2020525338.tif 000003
【図２】
2020525338.tif 000004
【図３ａ】
2020525338.tif 000005
【図３ｂ】
2020525338.tif 000006
【図３ｃ】
2020525338.tif 000007
【図３ｄ】
2020525338.tif 000008
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
圧力媒体アッセンブリ（１０）であって、
電子的に起動可能な駆動モータ（１６）によって操作可能なポンプと電子的に起動可能な弁とが配置されて圧力媒体を誘導するように互いに接触しているハウジングブロック（１２）と、
前記駆動モータと前記弁との起動を制御する電子制御器（１８）と、
を備え、
前記電子制御器（１８）が制御器ハウジング（２０）を備え、前記ハウジングブロック（１２）に前記電子制御器（１８）を固定するため、前記制御器ハウジングにデバイスフランジ（３２）が形成され、
前記ハウジングブロック（１２）に、前記デバイスフランジ（３２）に付設されるハウジングフランジ（３０）が設けられている、
前記圧力媒体アッセンブリ（１０）において、
前記ハウジングフランジ（３０）が、前記ハウジングブロック（１２）の、このハウジングフランジ（３０）を有している周側に対し、半径方向外側へ突出している、
ことを特徴とする圧力媒体アッセンブリ（１０）。
【請求項２】
前記ハウジングフランジ（３０）が、前記ハウジングブロック（１２）の前記周側に配置可能な結合部材（３６）に形成されている
ことを特徴とする請求項１に記載の圧力媒体アッセンブリ（１０）。
【請求項３】
前記結合部材（３６）が摩擦でおよび／または形状拘束的に前記ハウジングブロック（１２）の前記周側に固着されている
ことを特徴とする請求項２に記載の圧力媒体アッセンブリ（１０）。
【請求項４】
前記ハウジングブロック（１２）の前記周側に、前記結合部材（３６）のダウエルピン（３８）を受容する開口部（１４）が設けられている
ことを特徴とする請求項２または３に記載の圧力媒体アッセンブリ。
【請求項５】
互いに付設されている前記ハウジングフランジ（３０）または前記デバイスフランジ（３２）が、前記電子制御器（１８）を前記ハウジングブロック（１２）と固定結合させる固定手段（３４）を受容するために設けられている
ことを特徴とする請求項１〜４のいずれか一項に記載の圧力媒体アッセンブリ。
【請求項６】
前記固定手段としてねじ（３４）が設けられている
ことを特徴とする請求項５に記載の圧力媒体アッセンブリ。
【請求項７】
前記ハウジングフランジ（３０）または前記デバイスフランジ（３２）の一方が貫通孔を備えており、それぞれに付設されている他のフランジ（３２；３０）がねじ孔を有している
ことを特徴とする請求項５に記載の圧力媒体アッセンブリ。
【請求項８】
前記ねじ孔を備えた前記デバイスフランジ（３２）が前記制御器ハウジング（２０）に形成されている
ことを特徴とする請求項７に記載の圧力媒体アッセンブリ。
【国際調査報告】
2020525338.tif 000009
2020525338.tif 000010
2020525338.tif 000011
2020525338.tif 000012
2020525338.tif 000013
2020525338.tif 000014